(57)【特許請求の範囲】
【請求項１】
ネットワークに接続し、ＳＩＰ（Ｓｅｓｓｉｏｎ  Ｉｎｉｔｉａｔｉｏｎ  Ｐｒｏｔｏｃｏｌ）に従って送信相手に対する画像データのファクシミリ伝送を行う伝送手段を備える画像通信装置において、
入力された画像データから高速伝送用の画像データと低速伝送用の画像データを作成する作成手段と、
前記伝送手段による画像データの伝送の前に、当該画像データの高速伝送が可能かどうかを判定する判定手段と、
前記判定手段により前記画像データの高速伝送が可能であると判定された場合は前記作成手段によって作成された高速伝送用の画像データと低速伝送用の画像データの中から前記高速伝送用の画像データを選択し、前記判定手段により前記画像データの高速伝送が不可能であると判定された場合は前記作成手段によって作成された高速伝送用の画像データと低速伝送用の画像データの中から前記低速伝送用の画像データを選択する選択手段とを備え、
前記伝送手段は、前記選択手段により選択された画像データを伝送することを特徴とする画像通信装置。
【請求項２】
前記判定手段は、ＩＴＵ−Ｔ勧告のＴ．３８で規定されたリアルタイムのファクシミリ通信で交換されるＤＩＳ（Ｄｉｇｉｔａｌ  Ｉｎｆｏｒｍａｔｉｏｎ  Ｓｉｇｎａｌ）により判定することを特徴とする請求項１記載の画像通信装置。
【請求項３】
前記判定手段は、ＳＩＰでの呼制御手順で交換される通信相手の情報により判定することを特徴とするとする請求項１記載の画像通信装置。
【請求項４】
前記作成手段は、高速伝送用の画像データとして、カラー画像データ、高解像度の画像データを含む大容量の画像データと、低速伝送用の画像データとして、白黒画像データ、低解像度の画像データを含む小容量の画像データの複数の画像データを作成し、
前記選択手段は、前記判定手段により前記画像データの高速伝送が可能と判定された場合には、前記大容量のデータを選択し、前記判定手段により前記画像データの高速伝送が不可能と判定された場合には、前記小容量の画像データを選択することを特徴とする請求項１記載の画像通信装置。
【請求項５】
前記判定手段による判定の結果、前記画像データの高速伝送が不可能と判定された場合、前記画像データの伝送を開始する前に、前記伝送手段による送信動作をユーザに選択させる第２の選択手段をさらに備え、
前記伝送手段は、前記第２の選択手段での選択結果に従って伝送を行うことを特徴とする請求項１記載の画像通信装置。
【請求項６】
前記第２の選択手段は、低速で大容量データを送信する、小容量データへ変換して送信する、及び、送信しないのいずれかから前記送信動作を選択することを特徴とする請求項５に記載の画像通信装置。
【請求項７】
前記判定手段による判定の結果、前記画像データの高速伝送が不可能と判定された場合における前記伝送手段による送信動作を、予めユーザに選択させる第３の選択手段を備え、
前記伝送手段は、前記第３の選択手段での選択結果に従って伝送を行うことを特徴とする請求項１記載の画像通信装置。
【請求項８】
前記第３の選択手段は、低速で大容量データを送信する、小容量データへ変換して送信する、及び、送信しないのいずれかから前記送信動作を選択することを特徴とする請求項７に記載の画像通信装置。
【請求項９】
ネットワークに接続し、ＳＩＰに従って送信相手に対する画像データのファクシミリ伝送を行う伝送手段を備える画像通信装置の制御方法において、
作成手段が、入力された画像データから高速伝送用の画像データと低速伝送用の画像データを作成する作成工程と、
判定手段が、前記伝送手段による画像データの伝送の前に、当該画像データの高速伝送が可能かどうかを判定する判定工程と、
選択手段が、前記判定工程で前記画像データの高速伝送が可能であると判定された場合は前記作成工程で作成された高速伝送用の画像データと低速伝送用の画像データの中から前記高速伝送用の画像データを選択し、前記判定工程で前記画像データの高速伝送が不可能であると判定された場合は前記作成工程で作成された高速伝送用の画像データと低速伝送用の画像データの中から前記低速伝送用の画像データを選択する選択工程と、
前記伝送手段が、前記選択工程にて選択された画像データを伝送する伝送工程とを備えることを特徴とする画像通信装置の制御方法。
【請求項１０】
請求項９に記載の制御方法を画像通信装置に実行させるためのプログラム。
【発明の詳細な説明】
【技術分野】
【０００１】
本発明は、画像通信装置及びその制御方法、並びにプログラムに関し、特に、ＳＩＰに従って送信相手に対する画像データのファクシミリ伝送を行う際の制御技術に関する。
【背景技術】
【０００２】
従来の公衆回線（ＰＳＴＮ）を利用したファクシミリ伝送の他に、高速伝送が可能で、公衆回線でのファクシミリ伝送と互換性がある、ＬＡＮ（Ｌｏｃａｌ  Ａｒｅａ  Ｎｅｔｗｏｒｋ）を用いたファクシミリ伝送技術が提案されている。例えば、ＩＴＵ−Ｔ勧告Ｔ．３８では、ＬＡＮ上でのＰｏｉｎｔ  ｔｏ  Ｐｏｉｎｔの伝送が実現するために、伝送路としてＬＡＮが用いられ、また呼制御手段としてＳＩＰ（Ｓｅｓｓｉｏｎ  Ｉｎｉｔｉａｔｉｏｎ  Ｐｒｏｔｏｃｏｌ）が用いられている。例えば、電話サービスや映像通信サービス等をＳＩＰを使って実現するＮＧＮ（Ｎｅｘｔ  Ｇｅｎｅｒａｔｉｏｎ  Ｎｅｔｗｏｒｋ）と呼ばれる回線網が提案されている。ＮＧＮでは、帯域保証、番号認証などを行うことができ、高速かつ安全に画像伝送が行える。
【０００３】
ＰＳＴＮの伝送速度は最大でも３３．６ｋｂｐｓであるが、ＮＧＮでは最大１Ｍｂｐｓが保証されており、約３０倍早い伝送が可能になる。例えば、従来は、伝送時間が長く、また伝送料金が高かったために敬遠されていた高精細で高解像度画像やカラー画像の伝送が、短時間に、且つ低料金で可能になる。
【０００４】
また、ＩＴＵ−Ｔ勧告Ｔ．３８は、ＰＳＴＮで用いていたＩＴＵ−Ｔ勧告Ｔ．３０との互換性がある。そのため、Ｔ．３８が適用された画像通信装置（以下、「Ｔ．３８搭載機」とする）と、Ｔ．３０が適用された画像通信装置（以下、「Ｔ．３０搭載機」とする）との間の伝送も可能である。これは、ＮＧＮなどのＬＡＮ回線と従来のＰＳＴＮとの間に、Ｔ．３８⇔Ｔ．３０を相互変換するＴ．３８ゲートウェイ（ＧＷ）を用いることで実現することができる。
【０００５】
しかしながら、伝送速度は、Ｔ．３０搭載機の能力が反映されてしまい、最大３３．６ｋｂｐｓとなる。Ｔ．３８搭載機同士のＬＡＮでの伝送であれば、高解像度画像やカラー画像の伝送を高速かつ低料金で行えるが、前述したＴ．３８搭載機からＴ．３０搭載機への伝送では、伝送速度が最大３３．６ｋｂｐｓになるため、従来並みの低速、高料金になってしまう。更に、低速での伝送になるため、通信回線を占有してしまい、その間の伝送が行えなくなってしまう。
【０００６】
このような問題を解決するために、例えば、Ｔ．３８搭載機同士の伝送かどうかで制御を変える技術が提案されている（例えば、特許文献１参照）。特許文献１では、Ｔ．３８搭載機からファクシミリ伝送を行う際に、相手機がＬＡＮに直結されたＴ．３８搭載機か、ＧＷを介したＴ．３０搭載機かを検出する。そして、ＧＷを介した場合のタイムラグを保証するために、Ｔ．３０、Ｔ．３８で規定された信号の待ち時間を変える（ＧＷ接続の場合には、待ち時間を大きくする）ものである。なお、特許文献１は、あくまでＧＷが介在した場合のタイムラグを保証し、通信を安定させるためのものであり、本発明が主眼とする画像制御（画質やカラー画像の制御）に関しては述べられていない。
【先行技術文献】
【特許文献】
【０００７】
【特許文献１】特開２００２−１１１９５２号公報
【発明の概要】
【発明が解決しようとする課題】
【０００８】
上述したＴ．３８搭載機から高解像度画像やカラー画像を伝送する場合、送信相手が高速な通信網（ＬＡＮ、ＮＧＮ）に直結されているときは、高速で低料金の伝送が実現できる。しかしながら、送信相手が、ＬＡＮ（ＮＧＮ）直結ではないＴ．３０搭載機であれば、従来のＰＳＴＮの伝送速度となるため、低速度での伝送となり、回線を占有してしまうだけではなく、高い伝送料金が掛かってしまう。
【０００９】
本発明は、上記問題に鑑みて成されたものであり、画像データの高速伝送が可能であると判定された場合は作成された高速伝送用の画像データと低速伝送用の画像データの中から高速伝送用の画像データを選択し、画像データの高速伝送が不可能であると判定された場合は作成された高速伝送用の画像データと低速伝送用の画像データの中から低速伝送用の画像データを選択する画像通信装置及びその制御方法、並びにプログラムを提供することを目的とする。
【課題を解決するための手段】
【００１０】
上記目的を達成するために、本発明の画像通信装置は、ネットワークに接続し、ＳＩＰ（Ｓｅｓｓｉｏｎ  Ｉｎｉｔｉａｔｉｏｎ  Ｐｒｏｔｏｃｏｌ）に従って送信相手に対する画像データのファクシミリ伝送を行う伝送手段を備える画像通信装置において、入力された画像データから高速伝送用の画像データと低速伝送用の画像データを作成する作成手段と、前記伝送手段による画像データの伝送の前に、当該画像データの高速伝送が可能かどうかを判定する判定手段と、前記判定手段により前記画像データの高速伝送が可能であると判定された場合は前記作成手段によって作成された高速伝送用の画像データと低速伝送用の画像データの中から前記高速伝送用の画像データを選択し、前記判定手段により前記画像データの高速伝送が不可能であると判定された場合は前記作成手段によって作成された高速伝送用の画像データと低速伝送用の画像データの中から前記低速伝送用の画像データを選択する選択手段とを備え、前記伝送手段は、前記選択手段により選択された画像データを伝送することを特徴とする。
【発明の効果】
【００１１】
本発明によれば、画像データの高速伝送が可能であると判定された場合は作成された高速伝送用の画像データと低速伝送用の画像データの中から高速伝送用の画像データを選択し、画像データの高速伝送が不可能であると判定された場合は作成された高速伝送用の画像データと低速伝送用の画像データの中から低速伝送用の画像データを選択することができる。
【図面の簡単な説明】
【００１２】
【図１】本発明の第１の実施形態に係る画像通信装置を備えるネットワークの構成例を示す図である。
【図２】図１の画像通信装置１００の概略構成を示すブロック図である。
【図３】画像通信装置１００におけるファクシミリ送信動作の流れを示すフローチャートである。
【図４】ＤＩＳの内容の一例を示す図である。
【図５】送信相手機がＮＧＮなどの高速伝送路に直結されている場合のＳＩＰ接続手順の一例を示すシーケンスである。
【図６】（ａ）は図５に示すＳＩＰ接続手順で交換される「ＩＮＶＩＴＥ」信号の一例を示す図、（ｂ）は「２００  ＯＫ」信号の一例を示す図である。
【図７】送信相手機がＴ．３０搭載機であり、Ｔ．３８ＧＷ１０４を介して低速通信を行う場合のＳＩＰ接続手順の一例を示す図である。
【図８】（ａ）は図７に示すＳＩＰ接続手順で交換される「ＩＮＶＩＴＥ」信号の一例を示す図、（ｂ）は「２００  ＯＫ」信号の一例を示す図である。
【図９】表示／操作部２０３に表示される送信動作の選択画面の一例を示す図である。
【図１０】第３の実施形態における画像通信装置１００のファクシミリ送信動作の流れを示すフローチャートである。
【図１１】（ａ）は表示／操作部２０３に表示されるユーザ設定モード画面の一例を示す図、（ｂ）はユーザ設定モード画面上で許可しないが選択された場合の遷移画面の一例を示す図である。
【発明を実施するための形態】
【００１３】
以下、本発明の実施の形態を図面を参照して詳細に説明する。
【００１４】
［第１の実施形態］
図１は、本発明の第１の実施形態に係る画像通信装置を備えるネットワークの構成例を示す図である。
【００１５】
図１において、画像通信装置１００は、Ｔ．３８搭載の画像通信装置である。ＮＧＮ１０１は、ＮＧＮなどのＬＡＮ回線である。ＨＧＷ１０２は、画像通信装置１００とＮＧＮ１０１とに接続され、相互接続を行うためのゲートウェイ（Ｈｏｍｅ  ＧａｔｅＷａｙ：以下「ＨＧＷ」と略す）である。
【００１６】
画像通信装置１０３は、画像通信装置１００の一方の送信相手機であって、画像通信装置１００と同様に、Ｔ．３８搭載の画像通信装置である。画像通信装置１００と画像通信装置１０３との間の通信は、ＨＧＷ１０２、ＮＧＮ１０１を介して行われる。
【００１７】
また、画像通信装置１００と１０３との間の通信には、ＩＴＵ−Ｔ勧告Ｔ．３８でのファクシミリ通信の前に、呼制御手順としてＳＩＰ（Ｓｅｓｓｉｏｎ  Ｉｎｉｔｉａｔｉｏｎ  Ｐｒｏｔｏｃｏｌ）が使用され、Ｐｏｉｎｔ  ｔｏ  Ｐｏｉｎｔの通信が行われる。また、画像通信装置１００と画像通信装置１０３との間の通信には、ＮＧＮなどの高速な回線のみを使用しているため、最大１Ｍｂｐｓの速度での通信が可能となり、高速で低料金の通信が実現できる。
【００１８】
画像通信装置１０６は、画像通信装置１００の他方の送信相手機であって、Ｔ．３０搭載の画像通信装置である。画像通信装置１００と画像通信装置１０６との間の通信は、以下のように行われる。画像通信装置１００は、ＨＧＷ１０２を介してＮＧＮ１０１に接続される。ここで、ＮＧＮ回線と一般の公衆回線（ＰＳＴＮ：Ｐｕｂｌｉｃ  Ｓｗｉｃｈｅｄ  Ｔｅｌｅｐｈｏｎｅ  Ｎｅｔｗｏｒｋ）１０５との間には、Ｔ．３８ゲートウェイ（ＧＷ）１０４が接続されている。Ｔ．３８ＧＷ１０４は、Ｔ．３８仕様の信号と、ＰＳＴＮでのファクシミリ通信規格のＴ．３０仕様の信号との相互変換を行うものである。このＴ．３８ＧＷ１０４は、ＰＳＴＮ１０５を介して、画像通信装置１０６に接続されている。
【００１９】
図示例の場合、画像通信装置１００からＴ．３８ＧＷ１０４までの間では高速なデータ伝送が可能であるが、Ｔ．３８ＧＷ１０４から画像通信装置１０６との間では通常のアナログ回線であるため、伝送速度が最大でも３３．６ｋｂｐｓになる。その結果、高速な伝送は行われない。
【００２０】
次に、図示のネットワークにおけるＶｏＩＰ（Ｖｏｉｃｅ  ｏｖｅｒ  ＩＰ）を利用した通信方法について説明する。ＶｏＩＰは、ＩＰ網のようなＬＡＮ回線に音声パケットを流す仕組みである。
【００２１】
図１において、ＶｏＩＰゲートウェイ１０７は、ＬＡＮ（ＮＧＮ１０１）側の音声パケットとＰＳＴＮ（ＰＳＴＮ１０５）側の音声信号の相互変換を行うものである。図示のネットワークにおけるＶｏＩＰは、画像通信装置１００、ＨＧＷ１０２、ＮＧＮ１０１、ＶｏＩＰゲートウェイ１０７、ＰＳＴＮ１０５、及び画像通信装置１０６の間で結ばれる。ＶｏＩＰを利用した通信では、音声信号そのものを通信することになるため、伝送速度も３３．６ｋｂｐｓの低速になる。
【００２２】
このように、通信相手のＴ．３８搭載機が高速回線を用いたＴ．３８搭載機であれば、高速（最大１Ｍｂｐｓ）の通信が可能であるが、Ｔ．３８ゲートウェイ、ＶｏＩＰゲートウェイなどを介した通信の場合には低速（最大３３．６ｋｂｐｓ）となる。また、Ｔ．３８搭載機同士の通信の場合、高速な伝送が期待できるため、カラー画像や超高解像度（例えば、１２００ｂｐｓ×１２００ｂｐｓ）画像のファクシミリ伝送が高速、低料金で可能になる。
【００２３】
図２は、図１の画像通信装置１００の概略構成を示すブロック図である。
【００２４】
図２において、ＣＰＵ２０１は、ＲＯＭ２０８に格納された制御プログラムに基づいて、図中の各種デバイスを制御する。表示／操作部２０３は、例えば、ウインドウ、アイコン、メッセージ、メニューその他のユーザインターフェース情報を表示する。また、表示／操作部２０３は、図示は省略するが、ユーザがコピー、ＦＡＸ、プリンタ操作を行うための各種キーや、表示画面上のアイコン、メニューなどを操作するための画面ポインティングデバイス機能を備える。
【００２５】
スキャナ部２０４は、原稿の画像読み取りを行う機能を備える。印刷部２０５は、ＲＡＭ２０９やＨＤＤ（ハードディスクドライブ）２１０に保存した印刷データの印刷を行う。ＲＯＭ２０８は、各種制御プログラムやデータを記憶するメモリである。ＲＡＭ２０９は、ＣＰＵ２０１がデータを一時的に保持するためのワーク領域として、またエラー処理時のデータの退避領域として、さらに制御プログラムのロード領域などとして利用されるメモリである。
【００２６】
ＨＤＤ２１０は、各種制御プログラムや印刷データを保存する外部記憶装置である。ネットワークＩ／Ｆ部２１３は、ＨＧＷ１０２やネットワークとの接続を制御する。ＳＩＰを用いた通信もネットワークＩ／Ｆ部２１３で行われる。
【００２７】
Ｔ．３８プロトコル作成／解析部２１４は、ＩＴＵ−Ｕ勧告Ｔ．３８プロトコルによるファクシミリ伝送情報を生成し、また受信したプロトコルからファクシミリ伝送情報を取り出す機能を有する。
【００２８】
ＩＰパケット作成／解析部２０６は、ＩＴＵ−Ｕ勧告Ｔ．３８プロトコルをＩＰパケットにマッピングし、また受信したＩＰパケットからＩＴＵ−Ｕ勧告Ｔ．３８プロトコルを取り出す機能を有する。画像変換制御部２０７は、ファクシミリ通信する画像の圧縮伸張や変倍、線密度変換を行う。
【００２９】
なお、画像通信装置１０３は、画像通信装置１００と同一の構成を有するものとして、それらの説明は省略する。また、画像通信装置１０６は、画像通信装置１００に適用されたＩＴＵ−Ｕ勧告Ｔ．３８プロトコルがＩＴＵ−Ｕ勧告Ｔ．３０プロトコルに変更されている点が異なることから、それらの説明は省略する。
【００３０】
次に、画像通信装置１００におけるファクシミリ送信動作の流れについて図３を参照して説明する。
【００３１】
図３は、画像通信装置１００におけるファクシミリ送信動作の流れを示すフローチャートである。
【００３２】
まず、ステップＳ３０１では、ＣＰＵ２０１は、表示／操作部２０３でユーザからファクシミリ送信の指示を受け付けたか否かを判定し、送信指示を受け付けた場合は、ステップＳ３０２へ進む。ステップＳ３０２では、ＣＰＵ２０１は、設定された送信モードを判定する。すなわち、カラー画像又は６００ｄｐｉ以上の超高解像度画像のファクシミリ送信が指示されたかどうかを判定し、カラー画像や６００ｄｐｉ以上の超高解像度画像の送信指示がされていないと判定した場合は、ステップＳ３０５へ進む。一方、カラー画像や６００ｄｐｉ以上の超高解像度画像の送信指示がされていると判定した場合は、ステップＳ３０３へ進む。
【００３３】
ステップＳ３０５では、ＣＰＵ２０１は、スキャナ部２０４での原稿の通常の画像読み取りを行うように制御する。その後、ＣＰＵ２０１は、通常のＳＩＰ接続手順による発呼及び送信相手との接続を行い（ステップＳ３０６）、データを伝送する（ステップＳ３１３）。データ伝送が終了したと判断した場合（ステップＳ３１４でＹＥＳ）、ＣＰＵ２０１は、ネットワークＩ／Ｆ部２１３を制御して回線を切断する（ステップＳ３１５）。上記処理により、ＩＴＵ−Ｔ勧告Ｔ．３８を用いた通常のＦＡＸ送信が行われる。
【００３４】
一方、ステップＳ３０３では、ＣＰＵ２０１は、設定された伝送モードを判定する（音声通信判定手段）。伝送モードとは、Ｔ．３８に規定された手順での伝送か、ＶｏＩＰを用いた音声による通信かを示す情報であり、これは予めユーザによって選択されるか、又は、発呼する電話番号から自動的に判断される。ユーザにより伝送モードが選択される場合とは、通信モードの選択であり、例えばＴ．３８に規定された通信、音声通信のモードを予め選択することで行われる。一方、電話番号から伝送モードを自動的に判断する方法とは、例えば、ＰＳＴＮで通常使用される市外局番（０３、０６など）が先頭についているかどうかなどで判断される。ここで、ＰＳＴＮ番号と判断した場合には、自動的に音声通信であると判断して音声信号での通信が選択される。
【００３５】
ステップＳ３０３において、ＣＰＵ２０１は、設定された伝送モードが音声接続ではないと判定した場合、ステップＳ３０７へ進む。一方、伝送モードが音声接続すなわちＶｏＩＰによる伝送と判定した場合には、高速な伝送が望めないため、ＣＰＵ２０１は、スキャナ部２０４に対して白黒での画像読み取り又は低解像度での画像読み取りを指示する（ステップＳ３０４）。そして、ステップＳ３０５以降の処理が行われる。このように、ファクシミリ送信を行う前に、カラー画像や超高解像度画像のファクシミリ送信指示がされていても、伝送が音声（ＶｏＩＰ）の場合には、白黒画像又は低解像度画像の画像読み取りが行われる。すなわち、伝送が低速になると判断した場合には、送信画像を低速伝送にあった白黒画像や低解像度画像にして送信するので、回線の占有時間を短くすることができると共に、伝送料金を低額に抑えることが可能となる。
【００３６】
カラー画像又は超高解像度画像のファクシミリ伝送が指示され、かつ伝送モードが非音声の場合には、ステップＳ３０７以降の処理が実行される。この場合、画像通信装置１００の通信相手としては、ＮＧＮ１０１やＨＧＷ１０２と直結したＴ．３８搭載機（画像通信装置１０３）と、Ｔ．３８ＧＷ１０４を介してＰＳＴＮ１０５に乗り入れたＴ．３０搭載機（画像通信装置１０６）が考えられる。
【００３７】
ステップＳ３０７では次の処理が実行される。まず、送信相手に対して高速伝送が可能かどうかは、呼接続してみないと判断できないので、ＣＰＵ２０１は、Ｔ．３８プロトコル作成／解析部２１４を制御して、入力された画像データから高速伝送用と低速伝送用の２種類の画像データを作成する。これは、送信相手機と接続した後に画像変換をしたのでは、画像変換に時間を要してしまい、リアルタイム伝送が保証できないためである。例えば、カラー画像の伝送が指定されていた場合、スキャナ部２０４で原稿からカラー画像だけではなく、同時に白黒画像をも作成する。また、超高解像度画像の伝送が指定されていた場合、同様に、スキャナ部２０４で原稿から超高解像度（例：１２００ｘ１２００ｄｐｉ）の画像だけではなく、同時に低解像度（例：４００ｘ４００ｄｐｉ）の画像も作成する。
【００３８】
次に、ステップＳ３０８では、ＣＰＵ２０１は、ＳＩＰ接続手順を用いた呼接続を行う。なお、このＳＩＰ接続手順を用いた呼接続の方法については後述する。
【００３９】
次に、ステップＳ３０９では、ステップＳ３０８で行われた呼接続により送信相手機との高速接続が可能かどうかを判定する。すなわち、高速接続が可能か否かは、Ｔ．３８（またはＴ．３０）接続手順のＤＩＳ（Ｄｉｇｉｔａｌ  Ｉｎｆｏｒｍａｔｉｏｎ  Ｓｉｇｎａｌ）から判断することができる。送信相手機の能力は、画像伝送に先だって、受信機側からＴ．３８（またはＴ．３０）のＤＩＳで送られてくる。このＤＩＳの内容の一例を図４に示す。図４において、ＤＩＳはｂｉｔ列であり、各ｂｉｔに役割が割り振られている。例えば、ｂｉｔ３がＴ．３８能力を示すもので、この値が「１」の場合、受信機側がＴ．３８搭載機であると判断される。
【００４０】
ステップＳ３０９では、ＣＰＵ２０１は、受信したＤＩＳにおけるｂｉｔ３が「１」かどうかを判断して、高速接続が可能かどうかを判定する。この判定結果から、高速接続が可能と判定された場合、ステップＳ３１０に進む。一方、高速接続が不可能と判定された場合、ステップＳ３１２に進む。
【００４１】
ステップＳ３１０では、ＣＰＵ２０１は、送信相手機の能力をＤＩＳから判断する。一般的に、ＤＩＳでは、機能の拡張が行われると、ＤＩＳ上の拡張フィールドの識別ｂｉｔを用いてフィールドの拡張が可能になっている。この機能拡張を行うことで、ＤＩＳにより、カラー画像データの伝送や６００ｄｐｉ以上の超高解像度画像の伝送能力に関する情報交換が行われている。図４では、カラー画像データの伝送に関しては、６４ｂｉｔ以降の拡張フィールドが用いられ、６９ｂｉｔがカラー画像の受信機能の有無を表している。同様に、このｂｉｔが「１」であればカラー伝送能力がありと判断される。
【００４２】
更に、最近では、ＤＩＳにおいて解像度の拡張も行われている。従来、ファクシミリ送信する画像の解像度は、１００×２００ｄｐｉ、２００×２００ｄｐｉ、２００×４００ｄｐｉ、４００×４００ｄｐｉの４種類である。一方、ＤＩＳにおける１０４ｂｉｔ以降の拡張フィールドを用いて、６００ｄｐｉから１２００ｄｐｉの解像度も選択可能になっている。
【００４３】
ステップＳ３１０において、送信相手機がカラー画像伝送又は超高解像度画像伝送の能力を持っていると判断した場合、ステップＳ３１１に進む。一方、送信相手機がカラー画像伝送又は超高解像度画像伝送の能力を持っていないと判断した場合、ステップＳ３１２以降の処理が行われる。すなわち、送信者がカラー画像、超高解像度画像の伝送を指示していても送信相手機がその能力を持っていなければ、当然その画像の伝送はできない。
【００４４】
ステップＳ３１１において、ＣＰＵ２０１は、ステップＳ３０７で作成した高速伝送用の画像データ（カラー画像又は超高解像度画像）を選択し、当該画像データを伝送（ステップＳ３１３）する。データ伝送が終了したと判断した場合（ステップＳ３１４でＹＥＳ）、ＣＰＵ２０１は、ネットワークＩ／Ｆ部２１３を制御して回線を切断する（ステップＳ３１５）。このように、送信相手機との間で高速伝送が可能な場合は、先に作成していた高速伝送用の画像データ（カラー画像または超高解像度画像）を選択するので、高速かつ安価にファクシミリ伝送が出来る。
【００４５】
一方、ステップＳ３１２では、ＣＰＵ２０１は、ステップＳ３０７で作成した低速伝送用の画像データ（白黒画像又は低解像度画像）を選択し、ステップＳ３１３以降でそのデータを伝送する。
【００４６】
以上説明したように、本実施形態では、低速な伝送になることを見込んで、予め画像作成時に複数の画像（カラー／白黒、超高解像度／低解像度）を作成し、通信経路や相手機能力から高速伝送が可能かどうかを判断した上で、画像を選択して伝送する。これにより、通信経路の制約、相手機の能力の制約により低速での伝送しか出来ない場合には、データ量の少ない画像を送ることで、回線を占有してしまったり、高額な通信費になることが抑制できる。
【００４７】
［第２の実施形態］
次に、本発明の第２の実施形態について説明する。
【００４８】
第２の実施形態では、図３のステップＳ３０９での通信経路（相手機能力）の判断方法が上記第１の実施形態と異なり、第１の実施の形態と同様の部分については、同一の符号を用いてその説明を省略する。
【００４９】
第２の実施形態におけるステップＳ３０９の判断方法は、Ｔ．３８（またはＴ．３０）のＤＩＳではなく、ＳＩＰ接続手順における信号の情報から判断するものである。
【００５０】
まず、ＳＩＰ接続手順について説明する。
【００５１】
図５は、送信相手機がＮＧＮなどの高速伝送路に直結されている場合のＳＩＰ接続手順の一例を示すシーケンスである。
【００５２】
図５において、画像通信装置１００（Ｔ．３８搭載機）と画像通信装置１０３（Ｔ．３８搭載機）との間には、ＳＩＰ接続手順を交換するためのＳＩＰサーバ５００が設置されている。ＳＩＰサーバ５００は、例えば、図１のＨＧＷ１０２またはＮＧＮ１０１に設置されるものであり、ＳＩＰ接続手順でのアドレス解決（電話番号などから相手機のＩＰアドレスを導き出す）を行うために存在する。
【００５３】
発呼は、ＳＩＰ接続手順の「ＩＮＶＩＴＥ」と呼ばれる信号で行われる。画像通信装置１００から、この「ＩＮＶＩＴＥ」信号を受けたＳＩＰサーバ５００は、当該信号に含まれている相手機の電話番号などから送信相手機（ここでは画像通信装置１０３）のＩＰアドレスを取得する。そして、その作業を行っていることを示す信号「１００  Ｔｒｙｉｎｇ」を画像通信装置１００に返す。
【００５４】
次に、ＳＩＰサーバ５００は、送信相手機である画像通信装置１０３に対して着信を「ＩＮＶＩＴＥ」信号で通知し、これを受けた画像通信装置１０３は鳴動を示す「１８０  Ｒｉｎｇｉｎｇ」信号をＳＩＰサーバ５００へ返答する。ＳＩＰサーバ５００は、「１８０  Ｒｉｎｇｉｎｇ」信号を画像通信装置１００へ転送する。
【００５５】
次に、画像通信装置１０３は、着信を受け付けると、「２００  ＯＫ」の信号をＳＩＰサーバ５００へ返答する。ＳＩＰサーバ５００は、受信した当該信号を画像通信装置１００へ転送する。
【００５６】
上述した一連の動作により、画像通信装置１００と画像通信装置１０３の呼が確立され、それぞれのＩＰアドレスが確定する。その後は、画像通信装置１００と画像通信装置１０３との間でＰｏｉｎｔ  ｔｏ  Ｐｏｉｎｔでセッションが張られ、Ｔ．３８接続手順によるリアルタイムのファクシミリ通信が行われる。
【００５７】
ファクシミリ通信が終了すると、ＳＩＰ接続手順による呼の切断が「ＢＹＥ」信号で行われる。当該信号を受信した画像通信装置１００は、「２００  ＯＫ」信号を返答し、呼が切断される。
【００５８】
上述したＳＩＰ接続手順で交換される「ＩＮＶＩＴＥ」信号と、当該信号に対する「２００  ＯＫ」信号の一例を図６（ａ）、図６（ｂ）に示す。
【００５９】
図６（ａ）は、「ＩＮＶＩＴＥ」信号の一例であり、先頭の１行の文字列が信号名である。その後に続く文字列では、送信者（Ｆｒｏｍ）、受信者（Ｔｏ）が指定されている。「ＩＮＶＩＴＥ」信号中、「ｖ＝０」から後ろが、ＳＤＰ（Ｓｅｓｓｉｏｎ  Ｄｉｓｃｒｉｐｔｉｏｎ  Ｐｒｏｔｏｃｏｌ）と呼ばれており、当該信号のより詳細な情報を示すものである。
【００６０】
「ｏ＝」から始まるパラメータは、信号受信者（Ｏｗｎｅｒ）を示している。図６（ａ）の例では、「ｏ＝」のパラメータは、送信相手機すなわち画像通信装置１０３を示している。
【００６１】
図７は、送信相手機がＴ．３０搭載機である画像通信装置１０６であり、図１のＴ．３８ＧＷ１０４を介して低速通信を行う場合のＳＩＰ接続手順の一例を示す図である。
【００６２】
画像通信装置１００（Ｔ．３８搭載機）は、図１に示すＨＧＷ１０２、ＮＧＮ１０１、Ｔ．３８ＧＷ１０４、及びＰＳＴＮ１０５という通信経路を介して、画像通信装置１０６（Ｔ．３０搭載機）に接続されているものとする。この場合、ＳＩＰによる呼接続手順は、画像通信装置１００と、ＳＩＰサーバ５００と、Ｔ．３８ＧＷ１０４との間で行われる。Ｔ．３８ＧＷ１０４からＰＳＴＮ１０５、画像通信装置１０６の間は従来のアナログ回線であるため、Ｔ．３８ＧＷ１０４でＳＩＰ接続手順がＰＳＴＮの呼接続手順に交換される。すなわち、ＳＩＰ接続手順の「ＩＮＶＩＴＥ」信号は、Ｔ．３８ＧＷ１０４でＰＳＴＮの呼び出し信号に変換され、画像通信装置１０６に送信される。画像通信装置１０６がこれに応答した場合、画像通信装置１０６から返される着信をＴ．３８ＧＷ１０４が検出すると、ＳＩＰ接続手順の「２００  ＯＫ」信号に変換し、ＳＩＰサーバ５００へ送信する。このような手順で呼が確立されると、画像通信装置１００とＴ．３８ＧＷ１０４との間でセッションが張られ、画像通信装置１００とＴ．３８ＧＷ１０４との間でＴ．３８によるリアルタイム通信が行われる。このとき、Ｔ．３８ＧＷ１０４は、Ｔ．３８手順信号とＴ．３０手順信号を交互に変換する。
【００６３】
Ｔ．３８ＧＷ１０４と画像通信装置１０６とは、通常のＴ．３０手順で接続され、その信号速度は最大３３．６ｋｂｐｓとなる。
【００６４】
上述したＳＩＰ接続手順で交換される「ＩＮＶＩＴＥ」信号と、当該信号に対する「２００  ＯＫ」信号の一例を図８（ａ）、図８（ｂ）に示す。
【００６５】
図８（ａ）は、「ＩＮＶＩＴＥ」信号の一例であり、図８（ｂ）は、「２００  ＯＫ」信号の一例である。これらの信号の概略構成は、図６（ａ）、図６（ｂ）に示す信号の一例と大半の部分が共通するため、それらの説明は割愛する。
【００６６】
「２００  ＯＫ」信号のＳＤＰ（「ｖ＝０」以降の内容）のＯｗｎｅｒを示す「ｏ＝」の部分は、ＳＩＰ接続手順を交換している機器を示すものである。図６（ｂ）では、Ｏｗｎｅｒは受信機そのものであったが、図８（ｂ）においてはＳＩＰ接続手順交換を行っているのは、Ｔ．３８ＧＷ１０４であるため、「ｏ＝」の文字列にその旨を示す情報（図示例では「Ｃ−Ｔ３８ＧａｔｅＷａｙ」）が含まれる。この「ｏ＝」に含まれる信号を解析することにより、通信経路が判断可能になる。
【００６７】
このように、呼接続手順であるＳＩＰ信号の情報から通信経路（高速通信が可能かどうか）を判断することができる。
【００６８】
［第３の実施形態］
上述した実施形態では、高速送信が可能かどうかで伝送する画像を選択するものであったが、この選択をユーザが選択できるように構成してもよい。例えば、図３のステップＳ３１２の直前に、図９に示すような画面９００を表示／操作部２０３に表示する処理を追加して、低速伝送で大容量の画像データを送ろうとしていることをユーザへ通知する。そして、画像データの伝送開始前に、図示のように、「このまま大容量データを送信」９０１、「小容量データへ変換して送信」９０２、「送信しない」９０３のいずれかをユーザに選択可能にしてもよい。この場合のフローチャートを図１０に示す。なお、上記第１の実施の形態と同様の部分については、同一の符号を用いてその説明を省略する。
【００６９】
図１０は、第３の実施形態における画像通信装置１００のファクシミリ送信動作の流れを示すフローチャートである。なお、図示のフローチャートでは、図３と同じ処理ステップが省略され、更に図３のＳ３０７以降が記載されている。
【００７０】
ステップＳ３０８では、ＣＰＵ２０１は、ＳＩＰ接続手順による発呼、呼接続を行い、ステップＳ３０９では、ステップＳ３０８で行われた呼接続により送信相手機との高速接続が可能かどうかを判定する。ここで高速接続が可能と判断された場合には、ステップＳ３１０以降に進む。
【００７１】
一方、ステップＳ３０９において高速接続が不可能と判断された場合、ＣＰＵ２０１は、表示／操作部２０３に図９に示す画面９００の表示を行い（ステップＳ３２０）、その後の送信動作をユーザに選択させる。ステップＳ３２１において、選択結果からユーザが大容量データの送信を選択（「このまま大容量データを送信」９０１が選択）された場合は、ステップＳ３１０以降の処理を行う。すなわち、送信相手機に能力があれば（ステップＳ３１０でＹＥＳ）、そのまま大容量データを送信させる。
【００７２】
一方、ステップＳ３２１において、ユーザが小容量へ変換して送信を選択（「小容量データへ変換して送信」９０２が選択）された場合は、ステップＳ３１２へ進み、ステップＳ３０７で作成した低速伝送用の画像データ（白黒画像又は低解像度画像）が伝送される。
【００７３】
更に、ステップＳ３２１において、ユーザが送信しない（「送信しない」９０３）が選択された場合は、ステップＳ３１５へ進み、回線を切断して処理を終了する。
【００７４】
また、上述した、ファクシミリ送信時にリアルタイムにユーザに動作を選択させる方法以外に、予めユーザに設定させる方法もある。
【００７５】
例えば、ＣＰＵ２０１が、図１１（ａ）に示すユーザ設定モード画面１１０１を表示／操作部２０３に表示し、ユーザに対して、低速での大容量データの送信を「許可する」か、「許可しない」かを選択させる。ここで「許可する」１１０２が選択された場合は、通信開始時にユーザへ問い合わせをしないで、低速での大容量データの送信が行われる。
【００７６】
一方、「許可しない」１１０３が選択された場合は、図１１（ｂ）に示す画面１１１０に遷移し、大容量データを小容量に変換して送信する処理を「許可する」か、「許可しない」かをユーザに選択させる。ここで「許可する」１１１１が選択された場合、大容量データ（カラー画像データ、超高解像度画像データ）ではなく、小容量データ（白黒画像データ、低解像度画像データ）が選択され、送信される。更に、「許可しない」１１１２が選択された場合には、送信自体が行われない。このように、実際の送信動作をユーザが設定可能にすることで、より詳細に動作を規定することが可能になる。
【００７７】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００７８】
１００，１０３，１０６  画像通信装置
１０１  ＮＧＮ
１０２  ＨＧＷ
１０４  Ｔ．３８ＧＷ
１０５  ＰＳＴＮ
２０１  ＣＰＵ
２０６  ＩＰパケット作成／解析部
２１４  Ｔ．３８プロトコル作成／解析部
【図１】
0005748542.tif 000002
【図２】
0005748542.tif 000003
【図３】
0005748542.tif 000004
【図４】
0005748542.tif 000005
【図５】
0005748542.tif 000006
【図６】
0005748542.tif 000007
【図７】
0005748542.tif 000008
【図８】
0005748542.tif 000009
【図９】
0005748542.tif 000010
【図１０】
0005748542.tif 000011
【図１１】
0005748542.tif 000012